(57)【要約】【課題】  印刷可能な用紙サイズの大サイズ化に伴って拍車の数が増加し、ガイド部材を開放したときに多数の拍車が露出することになって、ジャム除去処理を含めてメンテナンス性が悪くなる。【解決手段】  上ガイド部７４は、フレーム１７５の下面側に、下ガイド部７３の搬送ローラ１７１で搬送される用紙５の上面を押える複数の拍車１７６を備え、搬送路７０を開放する開放位置と用紙５をガイドするガイド位置との間で変位可能に配置し、さらに、フレーム１７５に上ガイド部７４をガイド位置にしたときに拍車１７６の両側面から退避した退避位置にあり、上ガイド部７４を開放位置にしたときに拍車１７６の両側面に進出した保護位置に変位して拍車１７６を保護するための板状部材からなる保護部材１７８を備えた。【選択図】  図８
2006111002.tif 000002
【特許請求の範囲】
【請求項１】
被記録媒体を搬送する搬送装置において、搬送路上の前記被記録媒体を押える複数の拍車を備えたガイド部材を、前記搬送路を開放する位置と前記被記録媒体をガイドする位置との間で変位可能に配置するとともに、前記ガイド部材には前記拍車を保護する保護位置と保護位置から退避した退避位置との間で変位可能な保護部材を備えていることを特徴とする搬送装置。
【請求項２】
請求項１に記載の搬送装置において、前記保護部材は板状部材であって退避位置では前記搬送路とガイド部材を介して反対側に位置することを特徴とする搬送装置。
【請求項３】
請求項２に記載の搬送装置において、前記保護部材は保護位置にあるときに前記拍車の外周面側を覆う板状部を有していることを特徴とする搬送装置。
【請求項４】
請求項２に記載の搬送装置において、前記保護部材は保護位置にあるときに前記拍車の両側面の両側に位置する板状部を有していることを特徴とする搬送装置。
【請求項５】
請求項１ないし４のいずれかに記載の搬送装置において、前記保護部材は回転して前記保護位置に変位することを特徴とする搬送装置。
【請求項６】
請求項１に記載の搬送装置において、前記ガイド部材の保護部材は退避位置で前記拍車より後退した状態で前記搬送路に臨んでいることを特徴とする搬送装置。
【請求項７】
請求項６に記載の搬送装置において、前記ガイド部材の保護部材は前記ガイド部材に対して離間する方向又は前記ガイド部材に沿う方向に移動して前記保護位置に変位することを特徴とする搬送装置。
【請求項８】
請求項１ないし７のいずれかに記載の搬送装置において、前記ガイド部材の保護部材は前記ガイド部材をガイド位置から解除位置に移動させるときに、自重若しくは他の部材との係合又は係合解除により前記保護位置に移動することを特徴とする搬送装置。
【請求項９】
請求項１ないし８のいずれかに記載の搬送装置において、前記保護部材は手動操作で変位させられることを特徴とする搬送装置。
【請求項１０】
被記録媒体を搬送する搬送装置において、搬送路上の前記被記録媒体を押える複数の拍車を備えた保持部材を、前記搬送路を開放する開放位置と前記拍車が前記被記録媒体を押えるガイド位置との間で変位可能に配置するとともに、前記保持部材には、前記ガイド位置にしたときに前記被記録媒体をガイドする状態になり、前記開放位置にしたときには前記拍車を保護する状態になるガイド部材を備えたことを特徴とする搬送装置。
【請求項１１】
請求項１０に記載の搬送装置において、前記保持部材の開放動作と連動して前記ガイド部材が移動して前記拍車を保護する状態になることを特徴とする搬送装置。
【請求項１２】
請求項１０又は１１に記載の搬送装置において、前記保持部材と前記ガイド部材が複数のアーム部材で連結されていることを特徴とする搬送装置。
【請求項１３】
請求項１２に記載の搬送装置において、前記複数のアーム部材で連結されたアームの一つにスライダリンク機構を有し、前記保持部材の回動に連動して前記アームが回転することで前記ガイド部材が移動して前記拍車を保護する状態になることを特徴とする搬送装置。
【請求項１４】
請求項１０ないし１３のいずれかに記載の搬送装置において、前記ガイド部材は開口部を有し、この開口部から突出した前記拍車により前記被記録媒体を押さえることを特徴とする搬送装置。
【請求項１５】
請求項１４に記載の搬送装置において、前記保持部材の回動に連動して前記アームが回転して前記ガイド部材が移動し、前記開口部から前記拍車が引き込まれた状態になって保護されることを特徴とする搬送装置。
【請求項１６】
被記録媒体に画像を形成する画像形成装置において、前記被記録媒体に画像を形成する画像形成手段による画像形成が終了した被記録媒体を搬送する搬送装置が請求項１ないし１５のいずれかに記載の搬送装置であることを特徴とする画像形成装置。
【請求項１７】
請求項１６に記載の画像形成装置において、前記画像形成手段が記録液の液滴を吐出する液体吐出ヘッドであることを特徴とする画像形成装置。
【発明の詳細な説明】
【技術分野】
【０００１】
本発明は画像形成装置及び搬送装置に関する。
【背景技術】
【０００２】
プリンタ、ファクシミリ装置、複写装置、プリンタ／ファックス／コピア複合機等の画像形成装置として、記録液の液滴を吐出する液体吐出ヘッドで構成した記録ヘッド（画像形成手段）を用いて、被記録媒体（用紙、記録媒体、転写材なども同義で使用する。）を搬送しながら、記録液の液滴（以下、インク滴ともいう。）を用紙に付着させて画像形成（記録、印刷、印写、印字も同義語で用いる。）を行なうインクジェット記録装置が知られている。
【０００３】
このようなインクジェット記録装置においては、記録液を使用して画像を形成するため、記録液が着弾して画像が形成された直後の被記録媒体のコックリングを押えつつ搬送するために、画像形成面に当接する拍車で画像形成面を押さえつつ他の面を搬送ローラなどで送って搬送するようにしている。
【０００４】
従来のこのような拍車を使用するインクジェット記録装置として、特許文献１に記載されているように、インク滴を吐出する記録ヘッドより用紙搬送方向下流側に排紙ローラと複数の拍車とを配置し、複数の拍車を排紙される用紙を案内する排紙ガイド部材に回転可能に保持し、更にこの排紙ガイド部材を開放可能に設け、排紙ガイド部材を開放位置にすることで複数の拍車が対向する排紙ローラから離間するようにしたものがある。
【特許文献１】特開２０００−０３７９１６号公報
【０００５】
また、特許文献２に記載されているように、トナー像形成手段により形成されたトナー像を担持する像形成体と、像形成体に担持されたトナー像が転写され、転写されたトナー像を表面に担持するベルト状の中間転写体と、像形成体に担持されているトナー像を中間転写体により搬送される転写材の表面に転写する第１の転写手段と、中間転写体に担持されているトナー像を転写材の裏面に転写する第２の転写手段と、転写材を分離する分離手段と、分離手段により分離された転写材の両面に転写されたトナー像を定着する定着手段とを有し、第２の転写手段と分離手段とを一体的な転写分離手段とし、且つ、画像形成装置を上部筺体と下部筺体とよりなる開口可能な２分割構造としたものが知られている。
【特許文献２】特許平１０−１７１２０５号公報
【発明の開示】
【発明が解決しようとする課題】
【０００６】
上述した特許文献１に記載されているように、拍車を備えた排紙ガイド部材を開放可能とすることによって、ジャム処理、あるいはその他のメンテナンス性を向上することができるものの、印刷可能な用紙サイズの大サイズ化に伴って拍車の数も増加しており、ガイド部材を開放したときに多数の拍車が露出することになり、ジャム除去処理を含めてメンテナンス性が悪くなるという課題がある。
【０００７】
本発明は上記の課題に鑑みてなされたものであり、メンテナンス性を向上した画像形成装置を提供することを目的とする。
【課題を解決するための手段】
【０００８】
上記の課題を解決するため、本発明に係る搬送装置は、記録ヘッドによる画像形成が終了した被記録媒体を搬送する搬送路に前記被記録媒体を押える複数の拍車を備えたガイド部材を、搬送路を開放する位置と被記録媒体をガイドする位置との間で変位可能に配置するとともに、ガイド部材には拍車を保護する保護位置と保護位置から退避した退避位置との間で変位可能な保護部材を備えている構成とした。
【０００９】
ここで、保護部材は板状部材であって退避位置では搬送路とガイド部材を介して反対側に位置する構成とすることができる。この場合、保護部材は、保護位置にあるときに拍車の外周面側を覆う板状部を有している構成、あるいは、保護位置にあるときに拍車の両側面の両側に位置する板状部材である構成とすることが好ましい。また、保護部材は回転して前記保護位置に変位することが好ましい。
【００１０】
また、保護部材は退避位置で拍車より後退した状態で搬送路に臨んでいる構成とすることができる。この場合、保護部材はガイド部材に対して離間する方向又はガイド部材に沿う方向に移動して保護位置に変位することが好ましい。
【００１１】
さらに、保護部材はガイド部材をガイド位置から解除位置に移動させるときに、自重若しくは他の部材との係合又は係合解除により保護位置に移動することが好ましい。あるいは、ガイド部材の保護部材は手動操作で変位させられる構成とすることができる。
【００１２】
本発明に係る搬送装置は、搬送路上の前記被記録媒体を押える複数の拍車を備えた保持部材を、前記搬送路を開放する開放位置と前記拍車が前記被記録媒体を押えるガイド位置との間で変位可能に配置するとともに、前記保持部材には、前記ガイド位置にしたときに前記被記録媒体をガイドする状態になり、前記開放位置にしたときには前記拍車を保護する状態になるガイド部材を備えた構成とした。
【００１３】
ここで、保持部材の開放動作と連動して前記ガイド部材が移動して前記拍車を保護する状態になることが好ましい。また、保持部材と前記ガイド部材が複数のアーム部材で連結されていることが好ましく、この場合、前記複数のアーム部材で連結されたアームの一つにスライダリンク機構を有し、前記保持部材の回動に連動して前記アームが回転することで前記ガイド部材が移動して前記拍車を保護する状態になることが好ましい。
【００１４】
また、前記ガイド部材は開口部を有し、この開口部から突出した前記拍車により前記被記録媒体を押さえることが好ましい。この場合、前記保持部材の回動に連動して前記アームが回転して前記ガイド部材が移動し、前記開口部から前記拍車が引き込まれた状態になって保護されることが好ましい。
【００１５】
本発明に係る画像形成装置は、被記録媒体に画像を形成する画像形成手段による画像形成が終了した被記録媒体を搬送する本発明に係る搬送装置を備えたものである。ここで、画像形成手段が記録液の液滴を吐出する液体吐出ヘッドであることが好ましい。
【発明の効果】
【００１６】
本発明に係る搬送装置によれば、ガイド部材には拍車を保護する保護位置と保護位置から退避した退避位置との間で変位可能な保護部材を備えているので、ガイド部材を開放位置にした状態で拍車を保護部材によって保護することができ、メンテナンス性が向上する。
【００１７】
本発明に係る搬送装置によれば、搬送路上の前記被記録媒体を押える複数の拍車を備えた保持部材を、前記搬送路を開放する開放位置と前記拍車が前記被記録媒体を押えるガイド位置との間で変位可能に配置するとともに、前記保持部材には、前記ガイド位置にしたときに前記被記録媒体をガイドする状態になり、前記開放位置にしたときには前記拍車を保護する状態になるガイド部材を備えた構成としたので、保持部材を開放位置にした状態で拍車をガイド部材によって保護することができ、メンテナンス性が向上する。
【００１８】
本発明に係る画像形成装置によれば、本発明に係る搬送装置を備えているので、メンテナンス性が向上する。
【発明を実施するための最良の形態】
【００１９】
以下、本発明の実施の形態について添付図面を参照して説明する。本発明の第１実施形態に係る画像形成装置の一例の概要について図１ないし図３を参照して説明する。なお、図１は同画像形成装置の全体構成を示す概略構成図、図２は同装置の画像形成部及び副走査搬送部の平面説明図、図３は同じく側面説明図である。
【００２０】
この画像形成装置は、装置本体１の内部（筺体内）に、画像を形成するための画像形成部（手段）２、副走査搬送部（手段）３等を有し、装置本体１の底部に設けた給紙部（手段）４から用紙５を１枚ずつ給紙して、副走査搬送部３によって用紙５を画像形成部２に対向する位置で搬送しながら、画像形成部２によって用紙５に液滴を吐出して所要の画像を形成（記録）した後、片面印刷の場合には本発明に係る搬送装置で構成した排紙搬送部（手段）７を通じて装置本体１の上面に形成した排紙トレイ８上に用紙５を排紙し、両面印刷の場合には、排紙搬送部７の途中から装置本体１の底部に備えた両面ユニット１０に送り込み、スイッチバック搬送を行って、再度、副走査搬送部３に給紙して両面に画像を形成した後排紙トレイ８上に排紙する。
【００２１】
また、この画像形成装置は、画像形成部２で形成する画像データ（印刷データ）の入力系として、装置本体１の上部で排紙トレイ８の上方には画像を読み取るための画像読取部（スキャナ部）１１を備えている。この画像読取部１１は、照明光源１３とミラー１４とを含む走査光学系１５と、ミラー１６、１７を含む走査光学系１８とが移動して、コンタクトガラス１２上に載置された原稿の画像の読み取りを行い、走査された原稿画像がレンズ１９の後方に配置した画像読み取り素子２０で画像信号として読み込まれ、読み込まれた画像信号はデジタル化され画像処理され、画像処理した印刷データを印刷することができる。
【００２２】
さらに、この画像形成装置は、画像形成部２で形成する画像データ（印刷データ）の入力系として、外部のパーソナルコンピュータ等の情報処理装置、イメージスキャナなどの画像読取り装置、デジタルカメラなどの撮像装置などのホスト側からの画像データを含む印刷データ等をケーブル或いはネットワークを介して受信可能であり、受信した印刷データを処理して印刷することができる。
【００２３】
ここで、この画像形成装置の画像形成部２は、図２にも示すように、ガイドロッド２１及び図示しないガイドステーでキャリッジ２３を主走査方向に移動可能に保持し、主走査モータ２７で駆動プーリ２８Ａと従動プーリ２８Ｂ間に架け渡したタイミングベルト２９を介して主走査方向に移動走査する。
【００２４】
そして、このキャリッジ２３上に、それぞれの色の液滴を吐出する液滴吐出ヘッドからなる記録ヘッド２４を搭載し、キャリッジ２３を主走査方向に移動させ、副走査搬送部３によって用紙５を用紙搬送方向（副走査方向）に送りながら記録ヘッド２４から液滴を吐出させて画像形成を行うシャトル型としている。なお、ライン型ヘッドを用いることもできる。
【００２５】
記録ヘッド２４は、それぞれブラック（Ｂｋ）インクを吐出する２個の液滴吐出ヘッド２４ｋ１、２４ｋ２と、シアン（Ｃ）インク、マゼンタ（Ｍ）インク、イエロー（Ｙ）インクを吐出するそれぞれ１個の液滴吐出ヘッド２４ｃ、２４ｍ、２４ｙの計５個の液滴吐出ヘッド（以下、色を区別しないときは「記録ヘッド２４」という。）で構成され、キャリッジ２３に搭載した各サブタンク２５からそれぞれ各色のインクが供給される。
【００２６】
一方、図１に示すように、装置本体１の前面からカートリッジ装着部に、ブラック（Ｂｋ）インク、シアン（Ｃ）インク、マゼンタ（Ｍ）インク、イエロー（Ｙ）インクをそれぞれ収容した記録液カートリッジである各色のインクカートリッジ２６を着脱自在に装着でき、各色のインクカートリッジ２６から各色のサブタンク２５にインクを供給する。なお、ブラックインクは１つのインクカートリッジ２６から２つのサブタンク２５に供給する構成としている。
【００２７】
なお、記録ヘッド２４としては、インク流路内（圧力発生室）のインクを加圧する圧力発生手段（アクチュエータ手段）として圧電素子を用いてインク流路の壁面を形成する振動板を変形させてインク流路内容積を変化させてインク滴を吐出させるいわゆるピエゾ型のもの、或いは、発熱抵抗体を用いてインク流路内でインクを加熱して気泡を発生させることによる圧力でインク滴を吐出させるいわゆるサーマル型のもの、インク流路の壁面を形成する振動板と電極とを対向配置し、振動板と電極との間に発生させる静電力によって振動板を変形させることで、インク流路内容積を変化させてインク滴を吐出させる静電型のものなどを用いることができる。
【００２８】
また、キャリッジ２３の走査方向一方側の非印字領域には、図２に示すように、記録ヘッド２４のノズルの状態を維持し、回復するための維持回復装置１２１を配置している。この維持回復装置１２１は、５個の記録ヘッド２４の各ヘッドのノズル面をキャピングするための５個の保湿用キャップ１２２ｋ２、１２２ｋ１、１２２ｃ、１２２ｍ、１２２ｙ（色を区別しないときは「保湿用キャップ１２２」という。）と、１個の吸引用キャップ１２３と、記録ヘッド２４のノズル面をワイピングするためのワイパーブレード１２４と、記録（画像形成）に寄与しない液滴の吐出（空吐出）を行うための空吐出受け部材１２５などを備えている。
【００２９】
さらに、キャリッジ２３の走査方向他方側の非印字領域には、図２に示すように、５個の記録ヘッド２４から記録（画像形成）に寄与しない液滴の吐出（空吐出）を行うための空吐出受け部材１２６を備えている。この空吐出受け部材１２６には、記録ヘッド２４に対応して５個の開口１２７ｋ２、１２７ｋ１、１２７ｃ、１２７ｍ、１２７ｙ（色を区別しないときは「開口１２７」という。）を形成している。
【００３０】
副走査搬送部３は、図３にも示すように、下方から給紙された用紙５を略９０度搬送方向を転換させて画像形成部２に対向させて搬送するための、駆動ローラである搬送ローラ３２とテンションローラである従動ローラ３３間に架け渡した無端状の搬送ベルト３１と、この搬送ベルト３１の表面を帯電させるために高圧電源から交番電圧である高電圧が印加される帯電手段である帯電ローラ３４と、搬送ベルト３１を画像形成部２の対向する領域でガイドするガイド部材３５と、用紙５を搬送ローラ３２に対向する位置で搬送ベルト３１に押し付ける押さえコロ（加圧コロ）３６と、画像形成部２によって画像が形成された用紙５を搬送ベルト３１から分離するための分離爪３７とを備えている。
【００３１】
この副走査搬送部３の搬送ベルト３１は、副走査モータ１３１からタイミングベルト１３２及びタイミングローラ１３３を介して搬送ローラ３２が回転されることで、図２の用紙搬送方向（副走査方向）に周回するように構成している。なお、搬送ベルト３１は、例えば、抵抗制御を行っていない純粋な樹脂材、例えばＥＴＦＥピュア材で形成した用紙吸着面となる表層と、この表層と同材質でカーボンによる抵抗制御を行った裏層（中抵抗層、アース層）との２層構造としているが、これに限るものではなく、１層構造あるいは３層以上の構造でも良い。
【００３２】
また、従動ローラ３３と帯電ローラ３４との間に、搬送ベルト３１の表面に付着した紙粉等を除去するためのクリーニング手段（ここではマイラを用いている。）１３５と、搬送ベルト３１表面の電荷を除去するための除電ブラシ１３６とを備えている。
【００３３】
給紙部４は、装置本体１の前面側から抜き差し可能で、多数枚の用紙５を積載して収納する給紙カセット４１と、給紙カセット４１内の用紙５を１枚ずつ分離して送り出すための給紙コロ４２及びフリクションパッド４３を備えている。
【００３４】
また、この給紙部４は、用紙５を積載して収容するための手差しトレイ４６及び手差しトレイ４６から１枚ずつ用紙５を給紙するための図示しない手差しコロと、装置本体１の下側にオプションで装着される給紙カセットや両面ユニット１０から給紙される用紙５を搬送するための搬送コロ４８と、給紙された用紙５を副走査搬送部３に送り込むための搬送コロ４９を備えている。給紙コロ４２などの副走査搬送部３へ用紙５を給送するための部材は図示しない給紙クラッチを介してＨＢ型ステッピングモータからなる給紙モータ（駆動手段）４５によって回転駆動される。
【００３５】
排紙搬送部７は、副走査搬送部３の分離爪３７で分離された用紙５を送り出す搬送ローラ７１及びこれに対向する拍車７２と、排紙ローラ７１及び拍車７２間から送り出される用紙５をガイドしながら搬送する下ガイド部７３及び上ガイド部７４と、下ガイド部７３及び上ガイド部７４の間から送り出される用紙５を、第１の搬送経路である反転排紙経路８１を通じて反転してフェイスダウンで排紙トレイ８へ送り出すための反転ローラ対７７及び反転排紙ローラ対７８とを備えている。なお、下ガイド部７３及び上ガイド部７４の間で用紙５を搬送する搬送路を搬送路７０という。
【００３６】
また、排紙搬送部７は画像形成が行われた用紙５をフェイスアップでストレートに排紙搬送するための第２の搬送経路であるストレート排紙経路８２を有し、下ガイド部７３及び上ガイド部７４から送り出される用紙５を、ストレート排紙経路８２を通じて装置本体１の他側部側に開倒可能に設けたストレート排紙トレイ（ストレート排紙カバー）８３に排紙することができる。
【００３７】
そして、これらの第１排紙経路８１、第２排紙経路８２及び次に述べる両面搬送経路を切り替えるために、下ガイド部７３及び上ガイド部７４の出口側に切替機構６０を設けている。
【００３８】
両面ユニット１０は、切替機構６０で案内されて搬送される用紙５を装置本体１の側面部から受け入れて下方に搬送する垂直両面搬送路９０ｃを構成した垂直搬送部１０１ａと、垂直両面搬送路９０ｃに続いて水平方向に搬送する水平取り込み搬送路９０ａ及びスイッチバック搬送路９０ｂを構成した水平搬送部１０１ｂとを一体に有している。
【００３９】
垂直両面搬送路９０ｃには送り込まれた用紙５を下方に搬送する両面入口ローラ対９１及び水平取り込み搬送路９０ａに送り出す搬送ローラ対９２を備え、水平取り込み搬送路９０ａには５つの両面搬送ローラ対９３を備え、スイッチバック搬送路９０ｂには取り込み搬送路９０ａから送られる用紙５を反転して再給紙するためのリバースローラからなる両面出口ローラ９４及び３個の両面搬送ローラ対９５を備えている。
【００４０】
また、取り込み搬送路９０ａからスイッチバック搬送路９０ｂへの用紙５の搬送経路とスイッチバック搬送路９０ｂから搬送ローラ対４８への再給紙のための搬送経路とを切り替える分岐板９６を揺動可能に設けている。分岐板９６は、図１の実線図示のスイッチバック側位置と破線図示の再給紙側位置との間で揺動可能である。
【００４１】
また、図示しないが、画像形成部２の用紙搬送方向上流側に用紙５の先端を検知するための画像開始センサを、同じく用紙搬送方向下流側に用紙５の後端を検知するための画像終了センサを設けている。
【００４２】
次に、本発明に係る搬送装置で構成している排紙搬送部７の下ガイド部７３及び上ガイド部７４について図４ないし図１３をも参照して詳細に説明する。なお、図４は上ガイド部を閉じた状態の側面説明図、図５は同じく上ガイド部を閉じた状態の斜視説明図、図６は上ガイド部を開放した状態の側面説明図、図７は同じく上ガイド部を開放した状態の斜視説明図、図８は上ガイド部を閉じた状態の模式的側断面説明図、図９は上ガイド部を開放した状態の模式的側断面説明図、図１０はガイド位置にある状態の上ガイド部の上から見た斜視説明図、図１１は同じく上ガイド部の下から見た斜視説明図、図１２は開放位置にある状態の上ガイド部の上から見た斜視説明図、図１３は同じく上ガイド部の下から見た斜視説明図である。
【００４３】
まず、下ガイド部７３は、搬送する用紙５の下面を案内するガイド部材１７０と、図７にも示すように用紙搬送方向に複数列（ここでは３列）、用紙搬送方向と直交する方向に複数個設けた搬送ローラ１７１を備えている。なお搬送ローラ１７１は図示しない駆動源によって図５に示すベルト及びプーリを用いた駆動力伝達機構１７２を介して回転駆動される。
【００４４】
上ガイド部７４は、フレーム（枠体）１７５の下面側（搬送路７０側)に、下ガイド部７３の搬送ローラ１７１に当接し、搬送ローラ１７１で搬送路７０を搬送される用紙５の上面を押える自由回転（連れ回り）可能な複数の拍車１７６と、各拍車１７６の両側で拍車１７６よりも後退した位置で搬送される用紙５を案内する拍車支持板を兼ねたガイド部材１７７とを備えている。
【００４５】
そして、この上ガイド部７４は、フレーム１７５の用紙搬送方向下流側に設けた支軸１７５ａで揺動可能に軸支して、搬送路７０を開放する位置（図６などの位置。これを「開放位置」という。）と搬送される用紙５をガイドする位置（拍車１７６が搬送ローラ１７１に当接可能な位置、図４などの位置。これを「ガイド位置」という。）との間で変位可能に配置している。
【００４６】
さらに、上ガイド部７４は、上ガイド部７４をガイド位置にしたときに拍車１７６の両側面から退避した退避位置にあり、上ガイド部７４を開放位置にしたときに拍車１７６の両側面に進出して（進出した位置を「保護位置」という。）拍車１７６を保護するための板状部材からなる保護部材１７８を備えている。
【００４７】
つまり、フレーム１７５の上面側には搬送ローラ１７１の列に沿って３本の支持軸１８０を回転可能の保持し、この支持軸１８０の周面に側面形状が扇形状の保護部材１７８を拍車１７６の両側に対応する位置に一体形成で又は固定して設け、３本の支持軸１８０はそれぞれリンク部材１８１を介して共通リンク部材１８２に連結し、共通リンク部材１８２にレバー１８３を設けている。
【００４８】
このレバー１８３は、図５に示すように、下ガイド部７３のガイド部材１７０の上フランジ部１７０ａに当接可能で、上ガイド部７４がガイド位置にあるときには、同図に示すように、レバー１８３が他の部材である上フランジ部１７０ａに係合することで、保護部材１７８が図４、図５、図８ないし１０の退避位置に回動させられ、上ガイド部７４が開放位置に揺動されると、図７に示すようにレバー１８３と上フランジ部１７０ａの係合が外れて（係合解除により）、保護部材１７８が自重で図６、図７、図９、図１２、図１３に示すようにフレーム１７５に開口１７５ｂを介して拍車１７６を保護する保護位置に回動して進出する。
【００４９】
このように構成したので、排紙搬送部７の搬送路７０などで画像形成が終了した用紙５のジャムなどが発生したときには、上ガイド部７４を図４及び図６に示すガイド位置から矢示Ｃ方向に持ち上げて、開放位置にすることにより、上ガイド部７４が下ガイド部７３から離間して搬送路７０が開放されるので、ジャム紙の除去などの処置を行なうことができる。なお、上ガイド部７４を解放位置でロックする機構を設けることが好ましい。
【００５０】
そして、このとき、保護部材１７８が、レバー１８３が他の部材であるフランジ部１７０ａとの係合が解除されることで、図４で右方向に回転してフレーム１７５の下面側に自重で回動して、拍車１７６の両側部に進出し、側面から見て拍車１７６の外周面よりも進出した状態になって拍車１７６を保護する。これにより、ジャム除去処置中などに拍車１７６に除去する用紙などが引っ掛かることが防止され、メンテナンス性が向上する。
【００５１】
次に、本発明の第２実施形態について図１４ないし図１９を参照して説明する。なお、図１４は同実施形態に係る上ガイド部を閉じた状態の模式的側断面説明図、図１５は上ガイド部を開放した状態の模式的側断面説明図、図１６はガイド位置にある状態の上ガイド部の上から見た斜視説明図、図１７は同じく上ガイド部の下から見た斜視説明図、図１８は開放位置にある状態の上ガイド部の上から見た斜視説明図、図１９は同じく上ガイド部の下から見た斜視説明図である。
【００５２】
この実施形態では、前記実施形態の保護部材１７８に代えて、保護位置で拍車１７６の外周側を覆うカバー部（板状部）１９８ａを有する保護部材１９８を設けている。その他の構成は前記実施形態と同様であるので、その説明を省略する。
【００５３】
このように構成したので、排紙部７の搬送路７０などで画像形成が終了した用紙５のジャムなどが発生したときには、上ガイド部７４を図１４に示すガイド位置から図１５に示す開放位置にすることにより、上ガイド部７４が下ガイド部７３から離間して搬送路７０が開放されるので、ジャム紙の除去などの処置を行なうことができる。なお、ここでも、上ガイド部７４を解放位置でロックする機構を設けることが好ましい。
【００５４】
そして、このとき、保護部材１９８が、前述したように他の部材であるフランジ部１７０ａとの係合が解除されて図１４で右方向にフレーム１７５の下面側に自重で回動して、図１５、図１９に示すように、拍車１７６の外周面を覆うように進出して拍車１７６を保護する。これにより、ジャム除去処置中などに拍車１７６に除去する用紙などが引っ掛かることが防止され、メンテナンス性が向上する。
【００５５】
次に、本発明の第３実施形態について図２０ないし図２３を参照して説明する。なお、図２０は同実施形態に係る上ガイド部を閉じた状態の要部模式的側面説明図、図２１は上ガイド部を開放した状態の要部模式的側面説明図、図２２はガイド位置にある状態の上ガイド部の下から見た要部斜視説明図、図２３は開放位置にある状態の上ガイド部の下から見た要部斜視説明図である。
【００５６】
この実施形態では、上ガイド部７４のフレーム１７５の下面に拍車支持板２０１で拍車１７６を回転自在に保持するとともに、上ガイド部７４がガイド位置にある状態で、搬送ローラ１７１で搬送される用紙をガイドするガイド部材となり、上ガイド部７４が解放位置にされたときには拍車１７６よりも突出して拍車１７６を保護する保護部材２０２を設けている。つまり、部材退避位置で前記拍車より後退した状態で前記搬送路に臨んでいる
【００５７】
この保護部材２０２は、フレーム１７５に対して離間及び接近する方向に変位可能な保持枠２０３に取り付けられ、搬送方向下流側に拍車１７６が突出可能な溝部２０２ａを形成した略箱状の部材であり、拍車１７６が溝部２０２ａから突出する退避位置では拍車１７６より後退した状態で搬送路に臨み、上ガイド部７４が開放位置にされると、図２２に示すようにフレーム１７５に対して離間する方向に変位して、内部に拍車１７６を収納する保護位置に変位する。
【００５８】
なお、保護部材２０２は各拍車１７６に対して設けられ、すべての保護部材２０２は保持枠２０３に取り付けられていて、保持枠２０３の変位によってすべての保護部材２０２が図２０、図２２及び図２４の退避位置（ガイド部材としての機能する位置）と図２１、図２３及び図２５の保護位置との間で変位する。
【００５９】
このように構成したので、上ガイド部７４を図２０、図２２及び図２４に示すガイド位置から開放位置にすることによって、図２１、図２３及び図２５に示すように、保持枠２０３が矢示方向に下降（フレーム１７５から離間）して、拍車１７６を保護部材２０２内に収納するとともに、保護部材２０２で拍車１７６の外周面側を覆って保護する。これにより、ジャム除去処置中などに拍車１７６に除去する用紙などが引っ掛かることが防止され、メンテナンス性が向上する。
【００６０】
なお、上記各実施形態では、保護部材が上ガイド部の揺動によって自重（若しくは他の部材との係合又は係合解除）によって保護位置に変位する例で説明したが、上ガイド部を解放位置にするときに手動操作で保護部材を変位するようにすることもできる。また、上記各実施形態では、保護部材が他の部材との係合解除により自重で回動する例で説明しているが、上ガイド部を開放位置にしたときに、他の部材と係合することによって保護部材が保護位置に進出する構成とすることもできる。
【００６１】
次に、本発明に係る搬送装置の第４実施形態について上記画像形成装置の排紙搬送部７に適用した例で図２６ないし図３７を参照して説明する。なお、図２６は上ガイド部を閉じた状態の側面説明図、図２７は上ガイド部を閉じた状態の斜視説明図、図２８は上ガイド部を開放した状態の側面説明図、図２９は同じく上ガイド部を開放した状態の斜視説明図、図３０は上ガイド部の閉じた状態の詳細側面説明図、図３１は上ガイド部７４の開放した状態の詳細側面説明図、図３２は上ガイド部の閉じた状態の上方斜視説明図、図３３は上ガイド部の開放した状態の上方斜視説明図、図３４は上ガイド部の閉じた状態の小ガイド部付近を下から見た斜視説明図、図３５は上ガイド部の開放した状態の小ガイド部付近を下から見た斜視説明図、図３６は上ガイド部の閉じた状態の小ガイド部付近の断面説明図、図３７は上ガイド部の開放した状態の小ガイド部付近の断面説明図である。
【００６２】
まず、前述した実施形態と同様に、用紙の搬送路７０を挟んで下側に下ガイド部２７４を、上側に上ガイド部２７４を配置している。
【００６３】
下ガイド部２７３は、前述した実施形態と同様に、搬送する用紙の下面を案内するガイド部材３７０と、図２９に示すように用紙搬送方向に複数列（ここでは３列）、用紙搬送方向と直交する方向に複数個設けた搬送ローラ３７１とを備えている。なお、搬送ローラ３７１は図示しない駆動源によって回転駆動される。
【００６４】
上ガイド部２７４は、保持部材であるフレーム（枠体）３７５、拍車３７６、ガイド部材３７７及びリンク部３８１、３８２などから構成している。そして、保持部材であるフレーム３７５を、用紙搬送方向下流側に設けた支軸３７５ａで装置本体側に対して回動可能に軸支して、搬送路７０を開放する位置（図２８及び図２９に示す位置。これを「開放位置」という。）と、搬送される用紙をガイドする位置（拍車２７６が搬送ローラ２７１に当接可能な位置、図２６及び図２７に示す位置。これを「ガイド位置」という。）との間で変位可能に配置している。
【００６５】
ここで、拍車３７６は、図３４及び図３６にも示すように、フレーム（枠体）２７５の下面側（搬送路７０側）の拍車支持板４０１に回転自在に保持され、フレーム３７５がガイド位置にあるときに、下ガイド部２７３の搬送ローラ３７１に当接し、搬送ローラ３７１で搬送路７０を搬送される用紙の上面を押える。
【００６６】
また、ガイド部材３７７は各拍車３７６の両側で拍車３７６よりも後退した位置で搬送される用紙を案内する。このガイド部材３７７は、図１２及び図１４にも示すように、小ガイド部４０２及び保持枠４０３から構成され、小ガイド部（拍車ガイド部材）４０２は、拍車３７６が突出可能な溝部（開口部）４０２ａを形成した箱状であり、拍車３７６が溝部４０２ａから突出する退避位置では拍車３７６より後退した状態で搬送路７０に臨み、上ガイド部２７４が開放位置にされると、フレーム３７５に対して拍車３７６を覆う方向に回動して、内部に拍車３７６を収納する保護位置に変位する。
【００６７】
そして、このガイド部材３７７は、図３２及び図３３にも示すように、リンク部材３８１、３８２を介してフレーム３７５に回動可能に保持している。これにより、ガイド部材３７７は、フレーム３７５に対して回動可能に保持される。
【００６８】
ここで、下流側のリンク部材３８１はアーム３８３を有し、このアーム３８３の先端には軸部３８３ａを有し、この軸部３８３ａを側板３７９の長穴３７９ａに摺動可能に装着して、スライダリンク機構を構成している。
【００６９】
これにより、上ガイド部３７４（フレーム３７５）の開閉動作時に、アーム２８３ａの先端の軸部３８３ａが長穴３７９ａで摺動して移動し、リンク３８１、３８２を介して、ガイド部材３７７を回動させ、フレーム３７５を開放位置にしたときには、図２９、図３１、図３５、図３７に示すように、ガイド部材３７７がフレーム３７５に対して拍車３７６を覆う方向に回動し、内部に拍車３７６を収納する保護状態に変位する。
【００７０】
また、フレーム３７５をガイド位置にしたときには、図３０、図３２、図３４、図３６に示すように、拍車３７６がガイド板２７７の小ガイド部４０２の溝部（開口部）４０２ａから突出し、搬送ローラ３７１に当接し、搬送ローラ３７１で搬送路７０を搬送される用紙の上面を押え、ガイド部材３７７が搬送路７０を搬送される用紙をガイドする状態に変位する。このように、ガイド部材に開口部を有し、この開口部から突出された拍車によって用紙を押さえることにより、メンテナンス性の向上とともに用紙の搬送性を確保できる。
【００７１】
このように構成したので、排紙搬送部７の搬送路７０などで画像形成が終了した用紙のジャムなどが発生したときには、上ガイド部２７４を図２６に示すガイド位置から矢示Ｃ方向に持ち上げて、開放位置にすることにより、上ガイド部２７４が下ガイド部２７３から離間して搬送路７０が開放されるので、ジャム紙の除去などの処置を行なうことができる。なお、上ガイド部２７４を解放位置でロックする機構を設けることが好ましい。
【００７２】
そして、このとき、ガイド部材３７７が、アーム３８３ａの先端の軸部が長穴３７９ａで摺動して移動し、リンク３８１、３８２を介して回動し、フレーム３７５に対して、拍車３７６を覆う方向に回動して、内部に拍車３７６を収納する保護位置に変位することにより、ジャム除去処置中などに拍車３７６に除去する用紙などが引っ掛かることが防止され、メンテナンス性が向上する。
【図面の簡単な説明】
【００７３】
【図１】本発明に係る画像形成装置の全体構成を示す概略構成図である。
【図２】同装置の画像形成部及び副走査搬送部の平面説明図である。
【図３】同じく側面説明図である。
【図４】上ガイド部を閉じた状態の側面説明図である。
【図５】同じく上ガイド部を閉じた状態の斜視説明図である。
【図６】上ガイド部を開放した状態の側面説明図である。
【図７】同じく上ガイド部を開放した状態の斜視説明図である。
【図８】上ガイド部を閉じた状態の模式的側断面説明図である。
【図９】上ガイド部を開放した状態の模式的側断面説明図である。
【図１０】ガイド位置にある状態の上ガイド部の上から見た斜視説明図である。
【図１１】同じく上ガイド部の下から見た斜視説明図である。
【図１２】開放位置にある状態の上ガイド部の上から見た斜視説明図である。
【図１３】同じく上ガイド部の下から見た斜視説明図である。
【図１４】本発明の第２実施形態に係る上ガイド部を閉じた状態の模式的側断面説明図である。
【図１５】上ガイド部を開放した状態の模式的側断面説明図である。
【図１６】ガイド位置にある状態の上ガイド部の上から見た斜視説明図である。
【図１７】同じく上ガイド部の下から見た斜視説明図である。
【図１８】開放位置にある状態の上ガイド部の上から見た斜視説明図である。
【図１９】同じく上ガイド部の下から見た斜視説明図である。
【図２０】本発明の第３実施形態に係る上ガイド部を閉じた状態の要部模式的側面説明図である。
【図２１】上ガイド部を開放した状態の要部模式的側面説明図である。
【図２２】ガイド位置にある状態の上ガイド部の下から見た斜視説明図である。
【図２３】開放位置にある状態の上ガイド部の下から見た斜視説明図である。
【図２４】ガイド位置にある状態の上ガイド部の下から見た要部斜視説明図である。
【図２５】開放位置にある状態の上ガイド部の下から見た要部斜視説明図である。
【図２６】本発明の第４実施形態に係る搬送装置を上記画像形成装置の排紙搬送部に適用した例における上ガイド部を閉じた状態の側面説明図である。
【図２７】同じく上ガイド部を閉じた状態の斜視説明図である。
【図２８】は上ガイド部を開放した状態の側面説明図である。
【図２９】同じく上ガイド部を開放した状態の斜視説明図である。
【図３０】同じく上ガイド部の閉じた状態の詳細側面説明図である。
【図３１】同じく上ガイド部の開放した状態の詳細側面説明図である。
【図３２】同じく上ガイド部の閉じた状態の上方斜視説明図である。
【図３３】同じく上ガイド部の開放した状態の上方斜視説明図である。
【図３４】同じく上ガイド部の閉じた状態の小ガイド部付近を下から見た斜視説明図である。
【図３５】同じく上ガイド部の開放した状態の小ガイド部付近を下から見た斜視説明図である。
【図３６】同じく上ガイド部の閉じた状態の小ガイド部付近の断面説明図である。
【図３７】同じく上ガイド部の開放した状態の小ガイド部付近の断面説明図である。
【符号の説明】
【００７４】
１…装置本体
２…画像形成部
３…副走査搬送部
４…給紙部
５…用紙（被記録媒体）
７…排紙搬送部
８…排紙トレイ
１１…画像読取部
２３…キャリッジ
２４…記録ヘッド
３１…搬送ベルト
３２…搬送ローラ
３４…帯電ローラ
７３…下ガイド部
７４…上ガイド部
１７０…ガイド部材
１７１…搬送ローラ
１７５…フレーム
１７６…拍車
１７７…ガイド部材
１７８…保護部材
１８０…支持軸
１８１…リンク部材
１８２…共通リンク部材
１８３…レバー
１９８…保護部材
２０２…保護部材
【図１】
2006111002.tif 000003
【図２】
2006111002.tif 000004
【図３】
2006111002.tif 000005
【図４】
2006111002.tif 000006
【図５】
2006111002.tif 000007
【図６】
2006111002.tif 000008
【図７】
2006111002.tif 000009
【図８】
2006111002.tif 000010
【図９】
2006111002.tif 000011
【図１０】
2006111002.tif 000012
【図１１】
2006111002.tif 000013
【図１２】
2006111002.tif 000014
【図１３】
2006111002.tif 000015
【図１４】
2006111002.tif 000016
【図１５】
2006111002.tif 000017
【図１６】
2006111002.tif 000018
【図１７】
2006111002.tif 000019
【図１８】
2006111002.tif 000020
【図１９】
2006111002.tif 000021
【図２０】
2006111002.tif 000022
【図２１】
2006111002.tif 000023
【図２２】
2006111002.tif 000024
【図２３】
2006111002.tif 000025
【図２４】
2006111002.tif 000026
【図２５】
2006111002.tif 000027
【図２６】
2006111002.tif 000028
【図２７】
2006111002.tif 000029
【図２８】
2006111002.tif 000030
【図２９】
2006111002.tif 000031
【図３０】
2006111002.tif 000032
【図３１】
2006111002.tif 000033
【図３２】
2006111002.tif 000034
【図３３】
2006111002.tif 000035
【図３４】
2006111002.tif 000036
【図３５】
2006111002.tif 000037
【図３６】
2006111002.tif 000038
【図３７】
2006111002.tif 000039